(57)【要約】【課題】シェーマ画像上での塗りつぶし編集作業を容易に行うことができる医用レポート作成支援装置を提供すること。【解決手段】クライアント端末１２８は、シェーマ画像と書き込み線の情報とに基づいて、シェーマ画像と書き込み線とで囲まれた塗りつぶしオブジェクトを生成するオブジェクト生成部２０５と、書き込み線と塗りつぶしオブジェクトを同一レイヤーに設定するとともに、シェーマ画像を前記同一レイヤーとは異なるレイヤーに設定するレイヤー設定部２０６と、シェーマ画像、書き込み線及び塗りつぶしオブジェクトをレイヤー設定部２０６によって設定されたレイヤーで表示部２０２に表示させる表示制御部２０３と、を有する。【選択図】図２
2019139434.tif 000002
【特許請求の範囲】
【請求項１】
ユーザー操作を受け付ける操作入力部と、
表示部と、
シェーマ画像と、前記操作入力部から入力された書き込み線の情報と、に基づいて、前記シェーマ画像と書き込み線とで囲まれた塗りつぶしオブジェクトを生成するオブジェクト生成部と、
前記書き込み線と前記塗りつぶしオブジェクトを同一レイヤーに設定するとともに、前記シェーマ画像を前記同一レイヤーとは異なるレイヤーに設定するレイヤー設定部と、
前記シェーマ画像、前記書き込み線及び前記塗りつぶしオブジェクトを前記レイヤー設定部によって設定されたレイヤーで前記表示部に表示させる表示制御部と、
を具備する医用レポート作成支援装置。
【請求項２】
既に表示されている特定の塗りつぶしオブジェクトに対して、前記操作入力部を介して塗りつぶし非表示操作がなされた場合、
前記表示制御部は、前記特定の塗りつぶしオブジェクトと同一レイヤーであり、前記特定の塗りつぶしオブジェクトを囲んでいる前記書き込み線を、前記特定の塗りつぶしオブジェクトとともに非表示とする、
請求項１に記載の医用レポート作成支援装置。
【請求項３】
前記書き込み線及び前記塗りつぶしオブジェクトの色の変更は、前記書き込み線と前記塗りつぶしオブジェクトとで同時に行われる、
請求項１又は請求項２に記載の医用レポート作成支援装置。
【請求項４】
ユーザー操作を受け付ける操作入力ステップと、
シェーマ画像と、前記操作入力ステップで入力された書き込み線の情報と、に基づいて、前記シェーマ画像と書き込み線とで囲まれた塗りつぶしオブジェクトを生成するオブジェクト生成ステップと、
前記書き込み線と前記塗りつぶしオブジェクトを同一レイヤーに設定するとともに、前記シェーマ画像を前記同一レイヤーとは異なるレイヤーに設定するレイヤー設定ステップと、
前記シェーマ画像、前記書き込み線及び前記塗りつぶしオブジェクトを前記レイヤー設定ステップによって設定したレイヤーで表示部に表示させる表示ステップと、
を含む医用レポート作成支援方法。
【請求項５】
医用レポート作成支援装置に用いられる医用レポート作成支援プログラムを格納し、コンピュータにより読み取り可能な記録媒体であって、
前記医用レポート作成支援プログラムは、
ユーザー操作を受け付ける操作入力ステップと、
シェーマ画像と、前記操作入力ステップで入力された書き込み線の情報と、に基づいて、前記シェーマ画像と書き込み線とで囲まれた塗りつぶしオブジェクトを生成するオブジェクト生成ステップと、
前記書き込み線と前記塗りつぶしオブジェクトを同一レイヤーに設定するとともに、前記シェーマ画像を前記同一レイヤーとは異なるレイヤーに設定するレイヤー設定ステップと、
前記シェーマ画像、前記書き込み線及び前記塗りつぶしオブジェクトを前記レイヤー設定ステップによって設定したレイヤーで表示部に表示させる表示ステップと、
を含む、記録媒体。
【発明の詳細な説明】
【技術分野】
【０００１】
本発明は、例えば医用端末に用いられる、医用レポート作成支援装置、医用レポート作成支援方法及び記録媒体に関する。
【背景技術】
【０００２】
医師は、検査や診断を行うとその記録を医用レポートとしてまとめる。この医用レポートには、検査結果である数値や画像、所見内容、診断内容、処置内容などが含まれる。
【０００３】
近年、医療分野では、業務の効率化を図るため、医用画像やカルテなどの電子化が進められている。例えば特許文献１などでは、医用ネットワークシステムに接続された医用端末によって医用レポートを作成する技術が開示されている。
【０００４】
一般に、医用ネットワークシステムは、電子カルテシステムと、生理検査部門や検体検査部門、細胞検査部門などの各部門システムとが、ネットワーク接続されて構成されている。この医用ネットワークシステムに接続された医用端末では、各部門システムで取得されたデータと、医師により入力された所見内容、診断内容、処置内容などとが結合された医用レポートが作成され、作成された医用レポートは電子カルテシステムなどに保存される。
【先行技術文献】
【特許文献】
【０００５】
【特許文献１】特開２００９−６９９７７号公報
【発明の概要】
【発明が解決しようとする課題】
【０００６】
上述したように、医用ネットワークシステムにおいては、医師は医用端末を用いて医用レポートを作成する。このとき、人体の模式図であるシェーマ画像が用いられることがある。医師は、シェーマ画像上で特定の箇所を塗りつぶすことにより、検査により見つかった問題部位を表現する。
【０００７】
この塗りつぶしの操作を行う際に医師は、マウスやタッチペンなどでシェーマ画像の線に沿って塗りつぶし領域を指定することで、シェーマ画像の線に沿った塗りつぶしを行う。しかしながら、このような塗りつぶし領域の指定は甚だ面倒である。
【０００８】
また、シェーマ画像と同じレイヤーを直接編集することで、シェーマ画像の線に沿った塗りつぶしを行うといった操作も可能だが、この場合、塗りつぶしのやり直しが困難になる。つまり、塗りつぶした領域を消す場合に、元々のシェーマ画像の線を消さないような細かな操作が必要となり面倒である。
【０００９】
所見内容、診断内容、処置内容などの重要な項目を考えなくてはならない医師にとって、このような画像の塗りつぶし作業に手間や時間をかけることは非常に煩わしい。
【００１０】
本発明は、以上の点を考慮してなされたものであり、シェーマ画像上での塗りつぶし編集作業を容易に行うことができる医用レポート作成支援装置、医用レポート作成支援方法及び記録媒体を提供する。
【課題を解決するための手段】
【００１１】
本発明の医用レポート作成支援装置の一つの態様は、
ユーザー操作を受け付ける操作入力部と、
表示部と、
シェーマ画像と、前記操作入力部から入力された書き込み線の情報と、に基づいて、前記シェーマ画像と書き込み線とで囲まれた塗りつぶしオブジェクトを生成するオブジェクト生成部と、
前記書き込み線と前記塗りつぶしオブジェクトを同一レイヤーに設定するとともに、前記シェーマ画像を前記同一レイヤーとは異なるレイヤーに設定するレイヤー設定部と、
前記シェーマ画像、前記書き込み線及び前記塗りつぶしオブジェクトを前記レイヤー設定部によって設定されたレイヤーで前記表示部に表示させる表示制御部と、
を具備する。
【００１２】
本発明の医用レポート作成支援方法の一つの態様は、
ユーザー操作を受け付ける操作入力ステップと、
シェーマ画像と、前記操作入力ステップで入力された書き込み線の情報と、に基づいて、前記シェーマ画像と書き込み線とで囲まれた塗りつぶしオブジェクトを生成するオブジェクト生成ステップと、
前記書き込み線と前記塗りつぶしオブジェクトを同一レイヤーに設定するとともに、前記シェーマ画像を前記同一レイヤーとは異なるレイヤーに設定するレイヤー設定ステップと、
前記シェーマ画像、前記書き込み線及び前記塗りつぶしオブジェクトを前記レイヤー設定ステップによって設定したレイヤーで表示部に表示させる表示ステップと、
を含む。
【００１３】
本発明の記録媒体の一つの態様は、
医用レポート作成支援装置に用いられる医用レポート作成支援プログラムを格納し、コンピュータにより読み取り可能な記録媒体であって、
前記医用レポート作成支援プログラムは、
ユーザー操作を受け付ける操作入力ステップと、
シェーマ画像と、前記操作入力ステップで入力された書き込み線の情報と、に基づいて、前記シェーマ画像と書き込み線とで囲まれた塗りつぶしオブジェクトを生成するオブジェクト生成ステップと、
前記書き込み線と前記塗りつぶしオブジェクトを同一レイヤーに設定するとともに、前記シェーマ画像を前記同一レイヤーとは異なるレイヤーに設定するレイヤー設定ステップと、
前記シェーマ画像、前記書き込み線及び前記塗りつぶしオブジェクトを前記レイヤー設定ステップによって設定したレイヤーで表示部に表示させる表示ステップと、
を含む。
【発明の効果】
【００１４】
本発明によれば、シェーマ画像上での塗りつぶし編集作業を容易に行うことができるようになる。
【図面の簡単な説明】
【００１５】
【図１】実施の形態の医用ネットワークシステムの概要を示す接続図
【図２】クライアント端末の要部構成を示すブロック図
【図３】オブジェクト生成部による塗りつぶしオブジェクトの生成の説明に供する図
【図４】オブジェクト生成部による塗りつぶしオブジェクトの生成の説明に供する図
【図５】実施の形態による医用レポート作成動作の説明に供する図
【図６】実施の形態による医用レポート作成動作の説明に供する図
【図７】実施の形態による医用レポート作成動作の説明に供する図
【図８】実施の形態による医用レポート作成動作の説明に供する図
【図９】実施の形態による医用レポート作成動作の説明に供する図
【図１０】他の実施の形態による書き込み線の形成処理の説明に供する図
【発明を実施するための形態】
【００１６】
以下、本発明の実施の形態について、図面を参照して詳細に説明する。
【００１７】
＜システム構成＞
図１は、本実施の形態の医用レポート作成支援装置及び医用レポート作成支援方法が適用される医用ネットワークシステム１００の概要を示す接続図である。
【００１８】
医用ネットワークシステム１００は、電子カルテシステム１１０と、生理検査部門システム１２０とがサーバー１３０を介してネットワーク接続されている。
【００１９】
電子カルテシステム１１０は、電子カルテサーバー１１１に、複数の院内電子カルテ端末１１２−１、１１２−２、……、１１２−ｎが接続されている。電子カルテサーバー１１１に格納された情報は、院内電子カルテ端末１１２−１、１１２−２、……、１１２−ｎから閲覧できるようになっている。また、電子カルテサーバー１１１の情報は、権限のある院内電子カルテ端末１１２−１、１１２−２、……、１１２−ｎによって書き換えることもできるようになっている。
【００２０】
生理検査部門システム１２０は、心電計１２１、ホルタ心電図解析装置１２２、超音波診断装置１２３、肺機能検査装置１２４、血圧脈波検査装置１２５、プリンタ１２６、スキャナ１２７及びクライアント端末１２８がネット接続されて構成されている。これらの装置は、生理検査室に設置されている。なお、生理検査部門システム１２０は、運動負荷装置、脳波検査装置などの他の生理検査を行う検査装置が接続されてもよい。
【００２１】
生理検査部門システム１２０の各検査装置１２１〜１２５により得られた検査結果データは、サーバー１３０に格納される。つまり、サーバー１３０は、生理検査部門の生理検査結果データを収集し格納する部門データ格納部としての機能を有する。また、サーバー１３０は、各検査装置１２１〜１２５により形成された検査結果レポートを格納する。各検査装置１２１〜１２５は、所定の計算式に基づいて、検査結果の代表値や、最も悪い値などを求め、これらの値を所定のフォーマットとすることで検査結果レポートを形成し、このレポートを他の詳細な検査結果データと共にサーバー１３０に出力する。
【００２２】
サーバー１３０に格納された検査結果データ及び検査結果レポートは、医師などのユーザーがクライアント端末１２８を用いて閲覧することができる。
【００２３】
また、医師は、クライアント端末１２８によって、検査結果データ及び検査結果レポートを見ながら、また検査結果データ及び検査結果レポートを用いて、医用レポートを作成することができる。この医用レポートは、サーバー１３０及び電子カルテサーバー１１１に送られる。
【００２４】
本実施の形態の医用レポート作成支援装置及び医用レポート作成支援方法は、このクライアント端末１２８に適用される。なお、図１では、クライアント端末１２８を据置型の端末として示しているが、クライアント端末１２８が例えばタブレット型の端末でもよい。
【００２５】
＜クライアント端末の構成及び医用レポート作成処理＞
次に、クライアント端末１２８の構成及び医用レポート作成支援処理について、図２−図９を用いて説明する。
【００２６】
図２は、クライアント端末１２８の要部構成を示すブロック図である。なお、実際にはクライアント端末１２８は、図２の構成以外にも、サーバー１３０との通信を行う機能なども有するが、図２では図を簡単化するために医用レポート作成支援処理にかかわる構成のみを示してある。
【００２７】
クライアント端末１２８は、操作入力部２０１と、表示部２０２と、表示制御部２０３と、を有する。具体的には、操作入力部２０１はキーボードやマウスであり、表示部２０２はディスプレイである。なお、クライアント端末１２８がタブレット型の端末の場合には、操作入力部２０１及び表示部２０２は、タッチパネル付の液晶ディスプレイなどで具現化される。
【００２８】
かかる構成に加えて、クライアント端末１２８は、シェーマ画像格納部２０４、オブジェクト生成部２０５及びレイヤー設定部２０６を有する。
【００２９】
シェーマ画像格納部２０４は、例えばメモリによって具現化され、複数のシェーマ画像を格納している。シェーマ画像格納部２０４には、操作入力部２０１から使用するシェーマ画像を指定する選択信号が入力され、シェーマ画像格納部２０４は複数のシェーマ画像の中から選択信号に応じたシェーマ画像をオブジェクト生成部２０５及びレイヤー設定部２０６に出力する。
【００３０】
オブジェクト生成部２０５は、操作入力部２０１からの書き込み線の情報と、シェーマ画像格納部２０４からのシェーマ画像とを入力し、書き込み線とシェーマ画像とで囲まれた領域を塗りつぶしオブジェクトとして生成する。具体的には、ユーザーが操作入力部２０１を用いて線種及び座標を指定することにより書き込み線の情報が生成され、この書き込み線の情報がオブジェクト生成部２０５及びレイヤー設定部２０６に入力される。
【００３１】
オブジェクト生成部２０５は、例えば図３に示すように、書き込み線とシェーマ画像（肺のシェーマ画像）との交点を検出し、その交点を通り、書き込み線とオブジェクト画像の輪郭線とで囲まれた領域を塗りつぶしオブジェクトとして生成する。
【００３２】
また、オブジェクト生成部２０５は、例えば図４に示すように、シェーマ画像内で書き込み線で包囲された領域を塗りつぶしオブジェクトとして生成する。
【００３３】
図３及び図４のいずれにしても、オブジェクト生成部２０５は、操作入力部２０１からの書き込み線の情報と、シェーマ画像格納部２０４からのシェーマ画像とを入力し、書き込み線とシェーマ画像とで囲まれた領域を塗りつぶしオブジェクトとして生成する処理を行っている。
【００３４】
因みに、実際のユーザー操作では、書き込み線が、図３に示すような交点を形成せずに交点の手前で切れてしまっていたり、図４に示すような一回りした曲線を形成せずに途中で切れてしまっていたりする可能性がある。このような場合、オブジェクト生成部２０５は、オプションとして、書き込み線を延長するように補正することで、書き込み線とシェーマ画像とで囲まれた領域を強制的に作り、その領域を塗りつぶしオブジェクトとして生成してもよい。本実施の形態における、書き込み線とシェーマ画像とで囲まれた領域とは、このようなオプションによって作られた領域も含まれるものとする。
【００３５】
レイヤー設定部２０６は、書き込み線の情報、塗りつぶしオブジェクトの情報、及びシェーマ画像の情報を入力し、書き込み線と塗りつぶしオブジェクトを同一のレイヤーに設定するとともに、シェーマ画像をそのレイヤーとは異なるレイヤーに設定する。レイヤー設定部２０６は、入力した書き込み線の情報、塗りつぶしオブジェクトの情報、及びシェーマ画像の情報に加えて、設定したレイヤーの情報を表示制御部２０３に出力する。
【００３６】
表示制御部２０３は、シェーマ画像、書き込み線及び塗りつぶしオブジェクトをレイヤー設定部２０６によって設定されたレイヤーで表示部２０２に表示させる。
【００３７】
次に、クライアント端末１２８を用いた医用レポート作成の例について説明する。以下では、医用レポートとして頸動脈超音波検査報告書を作成する例を説明する。
【００３８】
ユーザーである医師がクライアント端末１２８のモードをレポート新規作成モードに設定すると、表示部２０２には、図５に示したレポート作成画面（頸動脈超音波検査報告書のテンプレート）が表示される。具体的には、上段に被検者の氏名などの項目が表示され、次段に超音波診断装置１２３によって取得された測定値が表示され、次段に複数のシェーマ画像が表示される。なお、図には示されていないが、シェーマ画像のさらに下段には、医師の所見、診断内容、処置内容などの項目が表示される。
【００３９】
医師が操作入力部２０１のマウスなどを使って複数のシェーマ画像の中から所望のシェーマ画像を選択すると、図６に示すように、選択されたシェーマ画像が拡大されてポップアップ表示される。なお、図６の例では、右頸動脈のシェーマ画像が選択されてポップアップ表示されている。
【００４０】
次に、医師は、検知された頸動脈内のプラークを示すために、図７に示すように、操作入力部２０１を用いてシェーマ画像上に書き込み線Ｌ１を書き込む。
【００４１】
すると、クライアント端末１２８のオブジェクト生成部２０５が書き込み線Ｌ１とシェーマ画像とで囲まれた領域を塗りつぶしオブジェクトＸ１として生成する。また、レイヤー設定部２０６が書き込み線Ｌ１と塗りつぶしオブジェクトＸ１を同一のレイヤーに設定するとともに、シェーマ画像をそのレイヤーとは異なるレイヤーに設定する。
【００４２】
次に、図８に示すように、医師が、操作入力部２０１を用いて、塗りつぶしボタンＢ１をアクティブにした状態で、塗りつぶしたい塗りつぶしオブジェクトＸ１を指定すると（例えばマウスをクリック操作すると）、塗りつぶしオブジェクトが指定された色で塗りつぶされる。例えば、操作入力部２０１を用いて赤色を指定すれば、プラークを示す塗りつぶしオブジェクトＸ１が赤色で強調されて塗りつぶされる。なお、塗りつぶしオブジェクトＸ１が指定されたときに（例えばマウスをクリック操作されたときに）、レイヤー設定部２０６によって、塗りつぶしオブジェクトＸ１のレイヤーが書き込み線Ｌ１と同じレイヤーに設定されてもよい。
【００４３】
次に、医師が操作入力部２０１を用いて保存ボタンＢ２を押下すると、編集されたシェーマ画像、書き込み線Ｌ１、塗りつぶしオブジェクトＸ１、及びそれらのレイヤーが保存されるとともに、図９に示したようにレポートに反映される。
【００４４】
ここで、医師は、図８のような塗りつぶしオブジェクトＸ１の編集画面において、一度作成した塗りつぶしオブジェクトＸ１を削除したい場合がある。この場合、医師は、削除ボタンＢ３をアクティブにした状態で、操作入力部２０１を用いて削除したい塗りつぶしオブジェクトＸ１を指定する（例えばマウスをクリック操作する）。
【００４５】
このような操作がされると、クライアント端末１２８の表示制御部２０３は、指定された塗りつぶしオブジェクトＸ１と、その塗りつぶしオブジェクトＸ１と同一レイヤーである書き込み線Ｌ１を一括して削除する（非表示とする）。ただし、それらのレイヤーとは異なるレイヤーであるシェーマ画像は削除しない。
【００４６】
つまり、既に表示されている特定の塗りつぶしオブジェクトＸ１に対して、操作入力部２０１を介して塗りつぶし解除操作がなされた場合、表示制御部２０３は、特定の塗りつぶしオブジェクトＸ１と同一レイヤーであり、特定の塗りつぶしオブジェクトＸ１を囲んでいる書き込み線Ｌ１を、特定の塗りつぶしオブジェクトＸ１とともに非表示とする。
【００４７】
これにより、削除したい塗りつぶしオブジェクトＸ１と、その元になった書き込み線Ｌ１を簡単な操作で削除できるようになる。
【００４８】
以上説明したように、本実施の形態によれば、シェーマ画像と書き込み線Ｌ１とに基づいて、シェーマ画像と書き込み線Ｌ１とで囲まれた塗りつぶしオブジェクトＸ１を生成するオブジェクト生成部２０５と、書き込み線Ｌ１と塗りつぶしオブジェクトＸ１を同一レイヤーに設定するとともに、シェーマ画像を前記同一レイヤーとは異なるレイヤーに設定するレイヤー設定部２０６と、シェーマ画像、書き込み線Ｌ１及び塗りつぶしオブジェクトＸ１をレイヤー設定部２０６によって設定されたレイヤーで表示部２０２に表示させる表示制御部２０３と、を設けたことにより、シェーマ画像上での塗りつぶし編集作業を容易に行うことができるようになる。
【００４９】
また、本実施の形態によれば、書き込み線Ｌ１と塗りつぶしオブジェクトＸ１とが同一レイヤーに設定されているとともに、シェーマ画像が前記同一レイヤーとは異なるレイヤーに設定されているので、書き込み線Ｌ１及び塗りつぶしオブジェクトＸ１の表示から非表示への変更、及び色の変更を、書き込み線Ｌ１と塗りつぶしオブジェクトＸ１とで同時に行うといった処理を容易に行うことができる。例えば、実施の形態では、特定の塗りつぶしオブジェクトＸ１を指定して、それを非表示とする操作を行えば、その塗りつぶしオブジェクトＸ１に対応する書き込み線Ｌ１も非表示とされる。また、特定の塗りつぶしオブジェクトＸ１を指定して、その色を赤色にする操作を行えば、その塗りつぶしオブジェクトＸ１に対応する書き込み線Ｌ１も赤色とされる。これにより、塗りつぶしオブジェクトＸ１と書き込み線Ｌ１との表示を一括して変更できるので、編集作業がより容易となる。勿論、書き込み線Ｌ１と塗りつぶしオブジェクトＸ１の表示から非表示への変更、及び色の変更を、同時ではなく別々に行うようにしてもよい。
【００５０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【００５１】
例えば、上述の実施の形態の処理に加えて、図１０に示したように、書き込み線を強制的にシェーマ画像から突き抜けるように形成する処理を行ってもよい。つまり、医師などのユーザーによって操作入力部２０１を用いて図３に示したような書き込み線が引かれると、表示制御部２０３はこの書き込み線を延長させて図１０に示したような書き込み線を形成して表示させる。このようにすることで、医用レポートを見た人は、シェーマ画像の線と書き込み線とを明確に区別して認識できるようになり、どの箇所（どの線）が医師によって引かれたものであるかを明確に識別できるようになる。
【００５２】
また、例えば上述の実施の形態では、本発明による医用レポート作成支援装置及び医用レポート作成支援方法を、クライアント端末１２８により具現化及び実行した場合について述べたが、本発明による医用レポート作成支援装置及び医用レポート作成支援方法は図２の機能を有する他のデバイスにより具現化及び実行することもできる。
【００５３】
また、本発明による医用レポート作成支援装置及び医用レポート作成支援方法の各処理は、演算部、操作入力部及び表示部を有するデバイスがプログラムを実行することによっても実現することが可能である。例えば、本発明による医用レポート作成支援装置及び医用レポート作成支援方法の各処理を実現するためのプログラムを、メモリ、ディスク、テープ、ＣＤ、ＤＶＤ等のコンピュータが読み取り可能な記録媒体に記録しておき、演算部、操作入力部及び表示部を有するデバイスのコンピュータがこのプログラムを読み出すことにより、上述の実施の形態の各処理を実行するようにしてもよい。
【産業上の利用可能性】
【００５４】
本発明は、例えば医用ネットワークシステムに接続されて医用レポートを作成するために用いられるクライアント端末に適用可能である。
【符号の説明】
【００５５】
１００  医用ネットワークシステム
１２８  クライアント端末
２０１  操作入力部
２０２  表示部
２０３  表示制御部
２０４  シェーマ画像格納部
２０５  オブジェクト生成部
２０６  レイヤー設定部
Ｌ１  書き込み線
Ｘ１  塗りつぶしオブジェクト
【図１】
2019139434.tif 000003
【図２】
2019139434.tif 000004
【図３】
2019139434.tif 000005
【図４】
2019139434.tif 000006
【図５】
2019139434.tif 000007
【図６】
2019139434.tif 000008
【図７】
2019139434.tif 000009
【図８】
2019139434.tif 000010
【図９】
2019139434.tif 000011
【図１０】
2019139434.tif 000012